(57)【要約】【課題】安定した通信が可能なツイストペアケーブル用コネクタを提供する。【解決手段】２本の被覆電線をより合わせたツイストペアケーブルの第１ケーブル５１と接続される第１ケーブル接続部３１と、第１端子部２１と、第１ケーブル接続部３１と第１端子部２１との間に設けられる第１連結部１１と、ツイストペアケーブルの第２ケーブル５２と接続される第２ケーブル接続部３２と、第２端子部２２と、第２ケーブル接続部３２と第２端子部２２との間に設けられる第２連結部１２と、を備えたツイストペアケーブル用コネクタ１００であって、第１連結部１１と第２連結部１２とは、Ｙ方向およびＸ方向に直交するＺ方向に幅広の板状であり、Ｚ方向に互いに逆向きに切り欠かれた切り欠き部１５が設けられて、互いに板面同士が対向するように切り欠き部１５で交差し、Ｙ方向から見てＺ方向に重なるように配設されている。【選択図】図２
2019175541.tif 000002
【特許請求の範囲】
【請求項１】
２本の被覆電線をより合わせたツイストペアケーブルの第１ケーブルと接続される第１ケーブル接続部と、
第１端子部と、
前記第１ケーブル接続部と前記第１端子部との間に設けられる第１連結部と、
前記ツイストペアケーブルの第２ケーブルと接続される第２ケーブル接続部と、
第２端子部と、
前記第２ケーブル接続部と前記第２端子部との間に設けられる第２連結部と、を備えたツイストペアケーブル用コネクタであって、
前記第１端子部と前記第２端子部とが、前記ツイストペアケーブルの延在する第１方向に延出されるとともに前記第１方向に直交する第２方向に間隔を設けて並列に配置されて、
前記第１連結部と前記第２連結部とは、前記第１方向および前記第２方向に直交する第３方向に幅広の板状であり、
前記第３方向に互いに逆向きに切り欠かれた切り欠き部が設けられて、
互いに板面同士が対向するように前記切り欠き部で交差し、前記第１方向から見て前記第３方向に重なるように配設されていることを特徴とするツイストペアケーブル用コネクタ。
【請求項２】
前記第１連結部の前記切り欠き部と、前記第２連結部の前記切り欠き部とは、前記第３方向の切り欠き寸法の合計が前記板面の幅寸法とほぼ同じであり、前記第１方向から見て前記第３方向で重なっていることを特徴とする請求項１に記載のツイストペアケーブル用コネクタ。
【請求項３】
前記第１連結部と前記第２連結部とは、前記第１方向の寸法が小さい薄板から成り、対称形状を有していることを特徴とする請求項１または請求項２に記載のツイストペアケーブル用コネクタ。
【請求項４】
２本の被覆電線をより合わせたツイストペアケーブルの第１ケーブルと接続される第１ケーブル接続部と、
第１端子部と、
前記第１ケーブル接続部と前記第１端子部との間に設けられる第１連結部と、
前記ツイストペアケーブルの第２ケーブルと接続される第２ケーブル接続部と、
第２端子部と、
前記第２ケーブル接続部と前記第２端子部との間に設けられる第２連結部と、
前記第１連結部と前記第２連結部とを固定する樹脂製の絶縁部と、を備えたツイストペアケーブル用コネクタであって、
前記第１端子部と前記第２端子部とが、前記ツイストペアケーブルの延在する第１方向に延出されるとともに前記第１方向に直交する第２方向に間隔を設けて並列に配置されて、
前記第１連結部と前記第２連結部とは、前記第１方向および前記第２方向に直交する第３方向に幅広の板状であり、
前記第３方向に互いに逆向きに切り欠かれた切り欠き部が設けられ、
互いに板面同士が対向するように前記切り欠き部で交差し、前記第１方向から見て前記第３方向に重なるように配設されて、
前記第１連結部と前記第２連結部とは、前記絶縁部をインサート成型して作製されていることを特徴とするツイストペアケーブル用コネクタの製造方法。
【発明の詳細な説明】
【技術分野】
【０００１】
本発明は、ツイストペアケーブル用コネクタに関し、特に、車載用ネットワーク等に使用されるツイストペアケーブル用コネクタに関する。
【背景技術】
【０００２】
近年、車両の安全性を高めるために車両制御の向上が求められ、より高速、且つ、高信頼性の車載制御系のネットワークが必要となっている。また、車載情報系ネットワークでは、高品位の映像や音声の同時ストリーミングや、カメラシステムのデジタル化等に伴って通信量が増大している。そこで、制御系と情報系の領域をカバーできる高速の通信伝送速度に対応できる車載用ネットワークの標準規格が策定されている。
【０００３】
この車載用ネットワークの標準規格に対応する車載の電子機器間を接続する通信伝送路として、ツイストペアケーブルが採用された。この標準規格に対応するツイストペアケーブルは、２本の被覆電線を所定のツイストピッチで交互により合わせた１対のケーブルから成り、通信伝送路として使用するため、所定の特性インピーダンス（例えば、１００Ω）になるように形成されている。また、ツイストペアケーブルの特性インピーダンスは、２本の被覆電線間の距離、被覆電線の線径、ツイストピッチ等から設定されている。
【０００４】
ツイストペアケーブルは、各被覆電線に流れる電流によって発生する磁界の向きがツイストピッチ毎に逆向きになるため、互いに磁界を打ち消すことができる。これにより、ツイストペアケーブルは、電磁誘導の影響を少なくすることができ、シールド無しでも放射ノイズ等を減少させることができる。
【０００５】
通信伝送速度が高速となるので、車載の電子機器間を接続する通信伝送路の一部であるツイストペアケーブル用コネクタは、特性インピーダンスをツイストペアケーブルと同じにする必要がある。特性インピーダンスが違うと、ツイストペアケーブルとツイストペアケーブル用コネクタとの間でミスマッチ（特性インピーダンスの不連続）が発生して、放射ノイズ等が悪化して車載の電子機器間の通信が不安定になるおそれがある。
【０００６】
上述のようなツイストペアケーブル用コネクタの雄型と雌型を組み合わせたコネクタユニットとして、特許文献１では、図９に示すようなコネクタ９００が提案されている。図９は、該従来例のツイストペアケーブル用のコネクタ９００を平面視した概略図である。ツイストペアケーブル用のコネクタ９００は、図９に示すように、第１のツイストペアケーブル９１３と第２のツイストペアケーブル９２５とを接続する雄型のツイストペアケーブル用コネクタと雌型のツイストペアケーブル用コネクタとからなる。
【０００７】
図９に示すように、ツイストペアケーブル用のコネクタ９００は、雄型のツイストペアケーブル用コネクタの雄型ハウジング９０７内に１対の第１端子９０９、９１１が配設され、その各第１端子９０９、９１１の基端部に第１のツイストペアケーブル９１３の各電線が接続されている。また、雌型のツイストペアケーブル用コネクタは雌型ハウジング９１９内に１対の第２端子９２１、９２３が配設され、その各第２端子９２１、９２３の基端部に第２のツイストペアケーブル９２５の各電線が接続されている。
【０００８】
第１端子９０９、９１１および第２端子９２１、９２３は、それぞれ棒状体または細長板状体から成り、コネクタ連結状態で一方の第１端子９０９と一方の第２端子９２１とが接続して成る一方の端子接続体９２７と、他方の第１端子９１１と他方の第２端子９２３とが接続して成る他方の端子接続体９２９と、がコネクタ連結方向に沿って３次元的（立体的）にそれらの位置を交互に入れ替えながら立体交差するように作製されている。
【０００９】
そして、このように１対の端子を３次元的に交差させる具体例として図１０に示す第２の従来例を考えた。図１０（ａ）は右巻きのツイストペアケーブル用のコネクタユニット８００に、右巻きのツイストペアケーブル８３０、８４０を接続した状態を示し、図１０
（ｂ）は、コネクタユニット８００に、左巻きのツイストペアケーブル８５０、８６０を接続した状態を示す。コネクタユニット８００は雄型のコネクタ８１０と雌型のコネクタ８２０からなる。また、図１０中の矢印はコネクタユニット８００、ツイストペアケーブル８３０，８４０，８５０，８６０の周りに生ずるツイストピッチ毎の磁界を示し、破線の矢印は上下方向（Ｚ１―Ｚ２方向）、実線は左右方向（Ｙ１―Ｙ２方向）の磁界を示す。尚、本願明細書において、ツイストヘアケーブル、およびコネクタの巻き方向は、信号を伝送する方向に行くに従って右側に形成されている場合を右巻き、左側に形成されている場合を左巻きとして記載する。図１０（ａ）は右巻きのコネクタユニット８００に右巻きのツイストペアケーブル８３０、８４０が接続された状態を示す。ＸＺ平面における破線で示す磁界は、その隣り合う磁界の向きがツイストピッチ毎に逆方向であり、よって互いに磁界を打ち消すことが可能となる。また、ＸＺ平面と直行するＸＹ平面においても、実線で示す磁界も同様に、その隣り合う磁界の向きがツイストピッチ毎に逆方向であり、よって互いに磁界を打ち消す。ＸＺ平面、ＸＹ平面のいずれの磁界も打ち消すことが可能であり電磁誘導の影響を少なくすることができる。図１０（ｂ）は右巻きのコネクタユニット８００に左巻きのツイストペアケーブル８５０、８６０が接続された状態を示す。ＸＺ平面における破線で示す磁界は、その隣り合う磁界の向きがツイストピッチ毎に逆方向であり、よって互いに磁界を打ち消すことが可能となる。しかしＸＹ平面においては、一点鎖線で示すように、コネクタユニット８００とツイストケーブルの接続部分Ａにおいては、コネクタユニット８００内の巻き部分Ｂと同じ向きの磁界が発生してしまい、よって隣り合う磁界を打ち消せない部分が発生してしまう。そして、これによって電磁誘導の影響が大きくなってしまうという問題がある。
【先行技術文献】
【特許文献】
【００１０】
【特許文献１】特開２００４−４７２９６号公報
【発明の概要】
【発明が解決しようとする課題】
【００１１】
このためツイストペアケーブルの右巻き、左巻きの巻き方向に合わせて、ツイストペアケーブル用コネクタも左右の巻き方向のコネクタを製作する必要があり、金型制作費が多くかかるという問題がある。更にはツイストペアケーブルのツイスト方向とコネクタのツイスト方向が揃えて組み立てする必要があることから管理が煩雑になるという問題がある。そして仮にツイストペアケーブル用コネクタのツイスト方向とツイストペアケーブルのツイスト方向とが逆のツイスト方向となって接続された場合に、通信伝送路の特性インピーダンスが変化（ツイストペアケーブル用コネクタとツイストペアケーブルとの接続付近の磁界の向きが互いに打ち消す方向にならない）して、放射ノイズ性能が悪化する等の問題を生じ、電子機器間の通信が不安定になるおそれがあるという課題があった。
【００１２】
本発明は、上述した課題を解決するもので、安価に、また同時に組立工程における管理を容易とし、更には安定した通信が可能なツイストペアケーブル用コネクタを提供することを目的とする。
【課題を解決するための手段】
【００１３】
この課題を解決するために、本発明のツイストペアケーブル用コネクタは、２本の被覆電線をより合わせたツイストペアケーブルの第１ケーブルと接続される第１ケーブル接続部と、第１端子部と、前記第１ケーブル接続部と前記第１端子部との間に設けられる第１連結部と、前記ツイストペアケーブルの第２ケーブルと接続される第２ケーブル接続部と、第２端子部と、前記第２ケーブル接続部と前記第２端子部との間に設けられる第２連結部と、を備えたツイストペアケーブル用コネクタであって、前記第１端子部と前記第２端子部とが、前記ツイストペアケーブルの延在する第１方向に延出されるとともに前記第１方向に直交する第２方向に間隔を設けて並列に配置されて、前記第１連結部と前記第２連結部とは、前記第１方向および前記第２方向に直交する第３方向に幅広の板状であり、前記第３方向に互いに逆向きに切り欠かれた切り欠き部が設けられて、互いに板面同士が対向するように前記切り欠き部で交差し、前記第１方向から見て前記第３方向に重なるように配設されていることを特徴としている。
【００１４】
これによれば、本発明のツイストペアケーブル用コネクタは、第１連結部と第２連結部とは、板状であり、対向する側に切り欠き部が設けられて、互いに板面同士が対向するように切り欠き部で交差し、板面の幅広の第３方向に重なるように配設されているので、１対の切り欠き部が交差している領域を第１方向から見た際に、隙間ＧＰが抑制されこの方向の磁界成分を少なくできる。このため、ツイスト方向が逆方向のツイストペアケーブルに接続された場合でも、通信伝送路の特性インピーダンスの変化を抑制することができる。このことにより、安定した通信が可能なツイストペアケーブル用コネクタを提供することができる。
【００１５】
また、本発明のツイストペアケーブル用コネクタは、前記第１連結部の前記切り欠き部と、前記第２連結部の前記切り欠き部とは、前記第３方向の切り欠き寸法の合計が前記板面の幅寸法とほぼ同じであり、前記第１方向から見て前記第３方向で重なっていることを特徴としている。
【００１６】
これによれば、本発明のツイストペアケーブル用コネクタは、切り欠き寸法の合計が板面の幅寸法とほぼ同じなので、組み合わせたときの隙間ＧＰ（穴）が極小になる。このため、通信伝送路の特性インピーダンスの変化を抑制することができる。
【００１７】
また、本発明のツイストペアケーブル用コネクタは、前記第１連結部と前記第２連結部とは、前記第１方向の寸法が小さい薄板から成り、対称形状を有していることを特徴としている。
【００１８】
これによれば、本発明のツイストペアケーブル用コネクタは、第１連結部と第２連結部とは、対称形状なので作製が容易である。
【００１９】
この課題を解決するために、本発明のツイストペアケーブル用コネクタの製造方法は、２本の被覆電線をより合わせたツイストペアケーブルの第１ケーブルと接続される第１ケーブル接続部と、第１端子部と、前記第１ケーブル接続部と前記第１端子部との間に設けられる第１連結部と、前記ツイストペアケーブルの第２ケーブルと接続される第２ケーブル接続部と、第２端子部と、前記第２ケーブル接続部と前記第２端子部との間に設けられる第２連結部と、前記第１連結部と前記第２連結部とを固定する樹脂製の絶縁部と、を備えたツイストペアケーブル用コネクタであって、前記第１端子部と前記第２端子部とが、前記ツイストペアケーブルの延在する第１方向に延出されるとともに前記第１方向に直交する第２方向に間隔を設けて並列に配置されて、前記第１連結部と前記第２連結部とは、前記第１方向および前記第２方向に直交する第３方向に幅広の板状であり、前記第３方向に互いに逆向きに切り欠かれた切り欠き部が設けられ、互いに板面同士が対向するように前記切り欠き部で交差し、前記第１方向から見て前記第３方向に重なるように配設されて、前記第１連結部と前記第２連結部とは、前記絶縁部をインサート成型して作製されていることを特徴としている。
【００２０】
これによれば、本発明のツイストペアケーブル用コネクタの製造方法は、第１連結部と第２連結部とは、樹脂製の絶縁部をインサート成型して作製されているので、交差する切り欠き部の隙間ＧＰが樹脂の流動時の樹脂圧によって確保され、樹脂の硬化によって固定される。このため、１対の切り欠き部の隙間ＧＰを狭く設定し、且つ、製造時の寸法がばらついてもショートする可能性が少ない。
【発明の効果】
【００２１】
本発明のツイストペアケーブル用コネクタは、安価に、また同時に組立工程における管理を容易とし、更には安定した通信が可能である。
【図面の簡単な説明】
【００２２】
【図１】本発明の第１実施形態に係わる雄型と雌型のツイストペアケーブル用コネクタを示すものであり（ａ）は、外観図であり、（ｂ）は、（ａ）からハウジングとカバーを削除した斜視図である。
【図２】本発明の第１実施形態に係わる雄型のツイストペアケーブル用コネクタの分解斜視図である。
【図３】本発明の第１実施形態に係わる雄型のツイストペアケーブル用コネクタからハウジングとカバーを削除した斜視図である。
【図４】図３に示す斜視図からツイストペアケーブルと絶縁部を削除したものであり（ａ）は、斜視図であり、（ｂ）は、分解斜視図である。
【図５】図３に示す斜視図からツイストペアケーブルと絶縁部を削除したものであり（ａ）は、平面図であり、（ｂ）は、側面図である。
【図６】（ａ）は、本発明の第１実施形態に係わるツイストペアケーブル用コネクタの連結部と端子部およびケーブル接続部の斜視図であり、（ｂ）は、（ａ）に示すＡ部の拡大図である。
【図７】ツイストペアケーブル用コネクタユニットのツイスト方向がツイストペアケーブルのツイスト方向と同じ場合と逆の場合の（ａ）は、比較例のツイストペアケーブル用コネクタユニットを使用した際の放射ノイズのシミュレーション結果であり、（ｂ）は、本発明の第１実施形態に係わるツイストペアケーブル用コネクタユニットを使用した際の放射ノイズのシミュレーション結果である。
【図８】第１実施例のツイストペアケーブル用コネクタユニットが発生する磁界を示す図である。
【図９】従来例の雄型と雌型のツイストペアケーブル用コネクタの概略図である。
【図１０】第２の従来例のツイストペアケーブル用コネクタユニットが発生する磁界を示す図である。
【発明を実施するための形態】
【００２３】
［第１実施形態］
以下に本発明の第１実施形態におけるツイストペアケーブル用コネクタユニット１０２について図１から図８までを用いて説明する。尚、以下の説明では、主に雄型のツイストペアケーブル用コネクタ１００について説明する。雌型のツイストペアケーブル用コネクタ１０１については、その要部は雄型のツイストペアケーブル用コネクタ１００と同等のため、詳細の説明は省く。
【００２４】
図１は、雄型のツイストペアケーブル用コネクタ１００と雌型のツイストペアケーブル用コネクタ１０１とからなるツイストペアケーブル用コネクタユニット１０２を示し、（ａ）は、外観図であり、（ｂ）は、（ａ）からハウジング６０とカバー６１を削除した斜視図である。図２は、雄型のツイストペアケーブル用コネクタ１００の分解斜視図である。図３は、雄型のツイストペアケーブル用コネクタ１００からハウジング６０とカバー６１を削除した斜視図である。図４は、図３に示す斜視図からツイストペアケーブル５０と絶縁部４０を削除したものであり、（ａ）は斜視図であり、（ｂ）は、分解斜視図である。図５は、図３に示す斜視図からツイストペアケーブル５０と絶縁部４０を削除したものであり、（ａ）は平面図であり、（ｂ）は、側面図である。図６は、ツイストペアケーブル用コネクタ１００を示し、（ａ）は、連結部と端子部およびケーブル接続部の斜視図であり図４（ａ）と見る方向をＹ２寄りに若干変えたものである。図６の（ｂ）は、（ａ）に示すＡ部の拡大図である。図７は、ツイストペアケーブル用コネクタユニット１０２のツイスト方向と逆の場合と同じ場合を示し、（ａ）は、比較例のツイストペアケーブル用コネクタユニットを使用した際の放射ノイズのシミュレーション結果であり、（ｂ）は、本発明の第１実施形態のツイストペアケーブル用コネクタユニット１０２を使用した際の放射ノイズのシミュレーション結果である。
【００２５】
本発明のツイストペアケーブル用コネクタユニット１０２は、図１に示すように２組のツイストペアケーブル５０（第１ケーブル５１、第２ケーブル５２）を接続して、電気的に導通させるコネクタである。
【００２６】
雄型のツイストペアケーブル用コネクタ１００は図１、図２に示すように、２本の被覆電線をより合わせたツイストペアケーブル５０の第１ケーブル５１と一端が接続され、他端が相手方（雌型）のツイストペアケーブル用コネクタ１０１の第１部品部（Ｐ１）と接続して電気的に導通する第１部品部（Ｐ１）とツイストペアケーブル５０の第２ケーブル５２に一端が接続され、前記第１部品Ｐ１と交差して、他端が相手方（雌型）のツイストペアケーブル用コネクタ１０１の第２部品部（Ｐ２）と接続して電気的に導通する第２部品Ｐ２と、第１部品Ｐ１と第２部品Ｐ２とを固定する絶縁部４０と、第１部品Ｐ１および第２部品Ｐ２と絶縁部４０とを覆うように包装するハウジング６０およびカバー６１と、を備えている。
【００２７】
ツイストペアケーブル５０の第１ケーブル５１は、図２に示すように第１芯線５１ａの周囲を絶縁部材で被覆した電線である。第１芯線５１ａは、銅材等で形成されている。
【００２８】
ツイストペアケーブル５０の第２ケーブル５２は、図２に示すように第２芯線５２ａの周囲を絶縁部材で被覆した電線である。第２芯線５２ａは、銅材等で形成されている。ツイストペアケーブル５０は、第１ケーブル５１と第２ケーブル５２とを有して、所定の特性インピーダンスに設定されている。
【００２９】
ツイストペアケーブル用コネクタ１００の第１部品Ｐ１は、導電性の高い銅合金を主成分とした金属板材を用いて金型等でプレス加工されて作製されており、図４に示すようにその金属板材の板面がＺ１―Ｚ２方向と平行になるように配置され、Ｘ１あるいはＸ２方向から見た場合に、概略長方体に形成されている。また、第１部品Ｐ１は図２に示すように、第１ケーブル５１と一端が接続される第１ケーブル接続部３１と、相手方（雌型）のツイストペアケーブル用コネクタ１０１の第１部品部（Ｐ１）と接続して電気的に導通する第１端子部２１と、第１ケーブル接続部３１と第１端子部２１との間に設けられる第１連結部１１とを有し、第１ケーブル接続部３１と第１連結部１１と第１端子部２１とが直列に連続して一体的に形成されている。
【００３０】
ツイストペアケーブル用コネクタ１００の第２部品Ｐ２は、第１部品Ｐ１と同様、導電性の高い銅合金を主成分とした金属板材を用いて金型等でプレス加工されて作製されており、図４に示すようにその金属板材の板面がＺ１−Ｚ２方向と平行になるように配置され、Ｘ１あるいはＸ２方向から見た場合に概略長方体に形成されている。また、第２部品Ｐ２は図２に示すように、第２ケーブル５２と一端が接続される第２ケーブル接続部３２と、相手方（雌型）のツイストペアケーブル用コネクタ１０１の第２部品部（Ｐ２）と接続して電気的に導通する第２端子部２２と、第２ケーブル接続部３２と第２端子部２２との間に設けられる第２連結部１２とを有し、図４に示すように、第２ケーブル接続部３２と、第２連結部１２と、第２端子部２２と、が直列に連続して一体的に形成されている。
【００３１】
第１部品Ｐ１の第１端子部２１は、図３に示すように、第２部品Ｐ２の第２端子部２２とともにツイストペアケーブル５０の延在する第１方向Ｄ１（Ｙ方向）に延出され、第１方向Ｄ１に直交する第２方向Ｄ２（Ｘ方向）に間隔を設けて並列に配置されている。
【００３２】
第１端子部２１は図３に示すように、第１ケーブル接続部３１とは反対側のＹ２方向に延出して、相手方の端子部と接続される部分である。尚、本実施例の説明において第１方向Ｄ１は、Ｙ２―Ｙ１方向と同じであり、第２方向Ｄ２はＸ１―Ｘ２方向と同じであり、第３方向Ｄ３はＺ１―Ｚ２方向と同じである。
【００３３】
第１部品Ｐ１の第１連結部１１は、図４に示すように、第１端子部２１と第１ケーブル接続部３１とを連結する部分である。また、第１連結部１１は図３および図４に示すように、絶縁部４０と接する部分を有し、絶縁部４０にインサート成形などの方法によって確実に固定されている。
【００３４】
第１連結部１１は図３から図５に示すように、板材からなり、第１方向Ｄ１、第２方向Ｄ２の寸法が小さく、第１方向Ｄ１および第２方向Ｄ２に直交する第３方向Ｄ３が幅広となるように形成されて、後述する第２連結部１２とは、対称形状に形成されている。
【００３５】
第１部品Ｐ１の第１ケーブル接続部３１は、図２および図３に示すように、絶縁部４０からＹ１方向に延出され、一部が円筒状に形成されており筒内に第１ケーブル５１の第１芯線５１ａが挿入されている。また、第１ケーブル接続部３１は第１芯線５１ａとかしめまたは半田付け等によって接続されている。
【００３６】
第２部品Ｐ２の第２端子部２２は、図３に示すように、第２ケーブル接続部３２とは反対側のＹ２方向に延出して、相手方の端子部と接続される部分である。
【００３７】
第２部品Ｐ２の第２連結部１２は、図４に示すように、第２端子部２２と第２ケーブル接続部３２とを連結する部分である。また、第２連結部１２は図３および図４に示すように、絶縁部４０と接する部分を有し、絶縁部４０にインサート成形などの方法によって確実に固定されている。
【００３８】
第２連結部１２は図３および図４に示すように、第１方向Ｄ１の寸法、第２方向Ｄ２が小さい板材から成り、第１方向Ｄ１および第２方向Ｄ２に直交する第３方向Ｄ３（Ｚ方向）に幅広の板状に形成されている。
【００３９】
第２部品Ｐ２の第２ケーブル接続部３２は、図２および図３に示すように、絶縁部４０からＹ１方向に延出され、一部が円筒状に形成されており筒内に第２ケーブル５２の第２芯線５２ａが挿入されている。また、第２ケーブル接続部３２は第２芯線５２ａとかしめまたは半田付け等によって接続されている。
【００４０】
第１連結部１１と第２連結部１２とは、図４および図６に示すように、第３方向Ｄ３に互いに逆向きに切り欠かれた切り欠き部１５が設けられて、互いに板面ＢＳ同士が対向するように切り欠き部１５で交差し、図５（ｂ）に示すように第２方向Ｄ２から見て第３方向Ｄ３に重なるように配設されている。
【００４１】
第１連結部１１の切り欠き部１５と、第２連結部１２の切り欠き部１５とは、図４および図６に示すように、Ｚ方向の切り欠き寸法の合計が板面ＢＳの幅寸法とほぼ同じであり、図５（ｂ）に示すようにＺ方向で重なって配設されている。
【００４２】
ツイストペアケーブル用コネクタ１００の第１連結部１１と第２連結部１２とは、図６に示すように、１対の切り欠き部１５が交差して隙間ＧＰができるように配設されている（第１部品Ｐ１と第２部品Ｐ２とは接続されていない。）。また、この隙間ＧＰは小さな隙間となるように第１連結部１１と第２連結部１２とが配設されている。
【００４３】
ツイストペアケーブル用コネクタ１００の絶縁部４０は、熱硬化性樹脂材または熱可塑性樹脂材から成り図２に示すように概ね直方体に形成されている。また、絶縁部４０は第１部品Ｐ１と第２部品Ｐ２とを電気的に絶縁している。
【００４４】
ツイストペアケーブル用コネクタ１００のハウジング６０は、熱可塑性樹脂材を用いて射出成形等にて作製され、図２に示すように箱形の形状に形成されている。
【００４５】
ツイストペアケーブル用コネクタ１００のカバー６１は、熱可塑性樹脂材を用いて射出成形等にて作製され、図２に示すように箱形の形状に形成されている。また、カバー６１はハウジング６０とともに、第１部品Ｐ１と第２部品Ｐ２を外部衝撃等から保護している。
【００４６】
以上のように構成された本発明の第１実施形態のツイストペアケーブル用コネクタ１００における効果について、以下にまとめて説明する。
【００４７】
図７は、図１０で示す第２の従来例を比較例として、コネクタユニット８００が発する放射ノイズの値をシュミレーションした結果、および本発明の実施例のツイストペアケーブル用コネクタ１００が発する放射ノイズの値をシュミレーションした結果を示す。横軸の周波数はコネクタに流す信号の周波数を示す。縦軸の放射ノイズは、コネクタユニットを中心として、その周囲の所定距離に円柱面を想定し、該円柱面に到達する放射エネルギーの総和を示す。
該データより明らかなように、比較例においては前述の従来例で記載した通り、コネクタユニットの巻き方向と逆の巻き方向のツイストケーブルが接続されると、接続部分Ａと巻き部分Ｂにおいてキャンセルできないため、図７（ａ）の三角で示すように放射ノイズのレベルが５ｄｂｍ程度大きくなってしまう。一方、本発明の実施例においては、図７（ｂ）
に示すように放射ノイズは殆ど変わらず、比較例におけるツイスト方向が同じ場合とほぼ同じ結果となった。ちなみに、コネクタユニットの巻き方向と同じ巻き方向のツイストケーブルが接続された場合、比較例と本発明の実施例のツイストペアケーブル用コネクタ１００は、ほぼ同じ放射ノイズの値となった。
図８は、図７（ｂ）のデータ取得時におけるコネクタユニット１０２、ツイストペアケーブル５０の周りに生ずるツイストピッチ毎の磁界を示す。（ａ）はコネクタユニット５０の巻き方向と同じ巻き方向のツイストケーブル５０が接続された場合を示し、隣り合う磁界の向きは反対方向でありキャンセルされる。（ｂ）は、コネクタユニット５０の巻き方向と逆の巻き方向のツイストケーブル５０が接続された場合を示し、切り欠き部１５に対応する第２方向Ｄ２の磁界成分Ｂ，Ｃを小さく出来、図１０（ｂ）で示す第２の従来例においては同じ方向の大きな磁界が発生していたのを、小さな磁界とできるので、その影響を抑えることができる。
尚、磁界成分Ｂ，Ｃを小さくできるのは、第１連結部１１と第２連結部１２とは、板状であり、対向する側に切り欠き部１５が設けられて、互いに板面ＢＳ同士が対向するように切り欠き部１５で交差し、板面ＢＳの幅広の第３方向Ｄ３に重なるように配設されているので、１対の切り欠き部１５が交差している領域を第２方向Ｄ２から見た際に、隙間ＧＰが抑制されているためである。すなわち隙間ＧＰは、高さと幅をもった隙間を意味していて、そこに発生した磁界の磁束線が通過する領域を意味するが、切り欠き同士が入りこんで組み合わされる構造のため、その隙間の高さ方向（Ｄ３方向）および幅方向（Ｄ１方向から見たＧＡＰ）は、板面に遮られて殆どなくなるため、本発明において主に課題としているＤ１方向の磁界を抑えることができる。
このことにより、１対のツイストペアケーブル用コネクタ１００がツイストペアケーブル５０のツイスト方向と逆方向に接続された場合でも通信伝送路の特性インピーダンスの変化が抑制され、図７（ｂ）に示すように放射ノイズ性能の悪化が抑制される。従って、安定した通信が可能なツイストペアケーブル用コネクタ１００を提供することができる。
【００４８】
また、切り欠き寸法の合計が板面ＢＳの幅寸法とほぼ同じなので、組み合わせたときの隙間ＧＰ（穴）が極小になる。このため、通信伝送路の特性インピーダンスの変化を抑制することができる。
【００４９】
また、第１連結部１１と第２連結部１２とは、対称形状なので作製が容易である。
【００５０】
［製造方法］
以下にツイストペアケーブル用コネクタ１００の製造方法について図２から図６までを用いて説明する。尚、第１実施形態と同一構成については、同一符号を付して詳細な説明は省略する。
【００５１】
はじめに、ツイストペアケーブル用コネクタ１００の第１部品Ｐ１は、導電性の高い銅合金を主成分とした金属板材を金型等でプレス加工することにより、図４に示すように第１連結部１１に切り欠き部１５を有する長方体の形状に作製される。また、第２部品Ｐ２は、図４および図５に示すように、第１部品Ｐ１と対称形状なので、第１部品Ｐ１と同様に作製される。第１連結部１１の切り欠き部１５と、第２連結部１２の切り欠き部１５とは、第３方向Ｄ３の切り欠き寸法の合計が板面ＢＳの幅寸法とほぼ同じに作製される。
【００５２】
次に、（熱硬化性）樹脂製の絶縁部４０に、図４から図６に示すように第１連結部１１の切り欠き部１５と第２連結部１２の切り欠き部１５とで互いに板面ＢＳ同士が対向するように交差し、第１方向Ｄ１から見て第３方向Ｄ３に重なるように配設して、第１連結部１１と第２連結部１２とをインサート成型する。これにより、図３に示すように第１連結部１１と第２連結部１２とが絶縁部４０に固定される。また、第１部品Ｐ１の第１端子部２１は、図３に示すように、第２部品Ｐ２の第２端子部２２とともにツイストペアケーブル５０の延在する第１方向Ｄ１に延出され、第１方向Ｄ１に直交する第２方向Ｄ２に間隔を設けて並列に配設される。
【００５３】
次に、第１部品Ｐ１の第１ケーブル接続部３１の一部が図４に示す円筒状に形成された筒内に、第１ケーブル５１の第１芯線５１ａを挿入して、図３に示すようにかしめ等によって接続する。同様に第２部品Ｐ２の第２ケーブル接続部３２の一部が図４に示す円筒状に形成された筒内に、第２ケーブル５２の第２芯線５２ａを挿入して、図３に示すようにかしめ等によって接続する。
【００５４】
次に、ハウジング６０とカバー６１とは、それぞれ熱可塑性樹脂材を用いて射出成形して、図２に示すような形状に作製する。
【００５５】
最後に、第１部品Ｐ１および第２部品Ｐ２と絶縁部４０を上下方向（図３に示すＺ方向）からハウジング６０とカバー６１とで覆い、図１に示すように組み立てる。
【００５６】
以上のように構成された本発明の第２実施形態のツイストペアケーブル用コネクタ１００の製造方法における効果について、以下に説明する。
【００５７】
本発明のツイストペアケーブル用コネクタ１００の製造方法は、第１連結部１１と第２連結部１２とは、樹脂製の絶縁部４０をインサート成型して作製されているので、交差する切り欠き部１５の隙間ＧＰが樹脂の流動時の樹脂圧によって確保され、樹脂の硬化によって固定される。このため、１対の切り欠き部１５の隙間ＧＰを狭く設定し、且つ製造時の寸法がばらついてもショートする可能性が少ない。
【００５８】
以上のように、本発明の第１実施形態に係わるツイストペアケーブル用コネクタ１００とツイストペアケーブル用コネクタ１００の製造方法を具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００５９】
＜変形例１＞
第１実施形態では、第１端子部２１および第２端子部２２は、ほぼ角柱状に形成されているが、円柱状に形成されても良い。
【００６０】
＜変形例２＞
第１実施形態では、ハウジング６０とカバー６１とは別体でそれぞれ作製しているが、ハウジング６０とカバー６１とを一体で作製しても良い。
【００６１】
＜変形例３＞
第１実施形態では、ツイストペアケーブル用コネクタ１００の第１部品Ｐ１および第２部品Ｐ２は、導電性の高い銅合金を主成分とした金属板材を用いていたが、ツイストペアケーブル５０の第１芯線５１ａおよび第２芯線５２ａがアルミ材で形成されている場合は、アルミ合金を主成分とした金属板材を用いても良い。
【符号の説明】
【００６２】
１１    第１連結部
１２    第２連結部
１５    切り欠き部
２１    第１端子部
２２    第２端子部
３１    第１ケーブル接続部
３２    第２ケーブル接続部
４０    絶縁部
５０    ツイストペアケーブル
５１    第１ケーブル
５１ａ  第１芯線
５２    第２ケーブル
５２ａ  第２芯線
６０    ハウジング
６１    カバー
１００  ツイストペアケーブル用コネクタ
１０１  ツイストペアケーブル用コネクタ
１０２  ツイストペアケーブル用コネクタユニット
ＢＳ    板面
Ｄ１    第１方向
Ｄ２    第２方向
Ｄ３    第３方向
ＧＰ    隙間
Ｐ１    第１部品
Ｐ２    第２部品
【図１】
2019175541.tif 000003
【図２】
2019175541.tif 000004
【図３】
2019175541.tif 000005
【図４】
2019175541.tif 000006
【図５】
2019175541.tif 000007
【図６】
2019175541.tif 000008
【図７】
2019175541.tif 000009
【図８】
2019175541.tif 000010
【図９】
2019175541.tif 000011
【図１０】
2019175541.tif 000012